(57)【要約】【課題】接続対象の特定や選択操作の容易化等、電子機器の利便性を向上させる。【解決手段】第一の取得手段（機器情報取得部１４）と、第二の取得手段（機器照合情報取得部１６）と、抽出手段（機器情報抽出部１８）と、表示制御手段（アイコン表示制御部２２）とを備える。第一の取得手段は、接続対象の機器が報知する、前記機器の第一の機器情報を含む報知情報を取得する。第二の取得手段は、前記第一の取得手段とは異なる手段であって、前記機器から第二の機器情報を取得する。抽出手段は、前記第一の機器情報と前記第二の機器情報との判定により一致すると判定された場合に、前記第一の機器情報又は前記第二の機器情報に対応するアイコンを、機器情報とアイコンとを対応付けて記憶した記憶手段（アイコン記憶部２１）から抽出する。表示制御手段は、前記抽出手段により抽出された前記アイコンを表示する。【選択図】図１
2012039282.tif 000002
【特許請求の範囲】
【請求項１】
接続対象の機器が報知する、前記機器の第一の機器情報を含む報知情報を取得する第一の取得手段と、
前記機器から第二の機器情報を取得する、前記第一の取得手段とは異なる第二の取得手段と、
前記第一の取得手段により取得された報知情報に含まれる前記第一の機器情報と、前記第二の取得手段により取得された前記第二の機器情報とが一致するか否かを判定し、前記判定において一致すると判定された場合に、前記第一の機器情報又は前記第二の機器情報に対応するアイコンを、機器情報とアイコンとを対応付けて記憶した記憶手段から抽出する抽出手段と、
前記抽出手段により抽出された前記アイコンを表示する表示制御手段と、
を備えることを特徴とする電子機器。
【請求項２】
前記第二の取得手段は、撮像された画像に含まれる情報から前記第二の機器情報を取得することを特徴とする請求項１に記載の電子機器。
【請求項３】
前記第二の取得手段は、人体通信を介して前記第二の機器情報を取得することを特徴とする請求項１に記載の電子機器。
【請求項４】
コンピュータに実行させる情報表示プログラムであって、
接続対象の機器が報知する、前記機器の第一の機器情報を含む報知情報を取得する機能と、
前記機器から第二の機器情報を取得する機能と、
前記機能により取得された報知情報に含まれる前記第一の機器情報と、前記機能により取得された前記第二の機器情報とが一致するか否かを判定し、前記判定において一致すると判定された場合に、前記第一の機器情報又は前記第二の機器情報に対応するアイコンを、機器情報とアイコンとを対応付けて記憶した記憶手段から抽出する機能と、
抽出された前記アイコンを表示する機能と、
を前記コンピュータによって実現させることを特徴とする、電子機器の情報表示プログラム。
【請求項５】
接続対象の機器が報知する、前記機器の第一の機器情報を含む報知情報を取得するステップと、
前記機器から第二の機器情報を取得するステップと、
前記機能により取得された報知情報に含まれる前記第一の機器情報と、前記機能により取得された前記第二の機器情報とが一致するか否かを判定し、前記判定において一致すると判定された場合に、前記第一の機器情報又は前記第二の機器情報に対応するアイコンを、機器情報とアイコンとを対応付けて記憶した記憶手段から抽出するステップと、
抽出された前記アイコンを表示するステップと、
を含むことを特徴とする、電子機器の情報表示方法。
【発明の詳細な説明】
【技術分野】
【０００１】
本発明は、無線通信により接続可能な機器と無線接続される電子機器の無線接続技術に関し、例えば、接続する際に予め情報登録した特定の機器を識別可能にした電子機器、その情報表示プログラム及びその情報表示方法に関する。
【背景技術】
【０００２】
携帯電話機等の通信可能な電子機器において、他の電子機器や周辺機器との間で近距離無線通信を利用してデータ通信を行うものがある。この近距離無線通信として、例えば、Bluetooth （登録商標）による無線通信規格が知られている。このような近距離無線通信では、通信を行う電子機器間で相手の機器を認証するペアリング処理を行う必要があり、機器情報やペアリング情報等の送受信が行われる。
【０００３】
このような情報の送受信処理に関し、例えば、車載装置の表示部にペアリング情報を二次元コード化して表示し、携帯電話機でその二次元コードを読み取って、ペアリング情報を取得するものが知られている（例えば、特許文献１）。
【０００４】
また、機器の人体通信部とヘルプスイッチの人体通信部との両方に人体が触れることにより、触れた機器の機器情報に応じたガイダンスを行うものが知られている（例えば、特許文献２）。
【先行技術文献】
【特許文献】
【０００５】
【特許文献１】特開２００９−１３５６８８号公報
【特許文献２】特開２０１０−００３０１２号公報
【発明の概要】
【発明が解決しようとする課題】
【０００６】
ところで、上記のような近距離無線通信等の無線通信により電子機器と接続可能な機器が普及してくると、利用者の周囲の通信可能範囲内にある多数の機器を通信接続相手として検出することになる。この場合、例えば、電子機器の画面上には、検出した機器の機器名やＭＡＣ（Media Access Control）アドレス等の一覧表示がされ、この一覧の中から利用したい機器を選択する必要があり、接続操作が困難であった。
【０００７】
斯かる要求や課題について、特許文献１にはその開示や示唆はなく、それを解決する構成等についての開示や示唆もない。
【０００８】
そこで、本開示の電子機器、その情報表示プログラム又はその情報表示方法の目的は、接続対象の特定や選択操作の容易化等、電子機器の利便性を向上させることにある。
【課題を解決するための手段】
【０００９】
上記目的を達成するため、本開示の電子機器は、第一の取得手段と、第二の取得手段と、抽出手段と、表示制御手段とを備える。第一の取得手段は、接続対象の機器が報知する、前記機器の第一の機器情報を含む報知情報を取得する。第二の取得手段は、前記第一の取得手段とは異なる手段であって、前記機器から第二の機器情報を取得する。抽出手段は、前記第一の機器情報と前記第二の機器情報との判定により一致すると判定された場合に、前記第一の機器情報又は前記第二の機器情報に対応するアイコンを、機器情報とアイコンとを対応付けて記憶した記憶手段から抽出する。前記第一の機器情報は、前記第一の取得手段により取得された報知情報に含まれる。前記判定は、前記第一の機器情報と前記第二の取得手段により取得された前記第二の機器情報とが一致するか否かを判定する。表示制御手段は、前記抽出手段により抽出された前記アイコンを表示する。斯かる構成により、上記目的が達成される。
【００１０】
また、本開示の電子機器の情報表示プログラムは、コンピュータに実行させる情報表示プログラムであって、第一の機器情報取得機能と、第二の機器情報取得機能と、アイコン抽出機能と、アイコン表示機能とを含む。第一の機器情報取得機能は、接続対象の機器が報知する、前記機器の第一の機器情報を含む報知情報を取得する。第二の機器情報取得機能は、前記機器から第二の機器情報を取得する。アイコン抽出機能は、前記第一の機器情報と、前記第二の機器情報との判定により一致すると判定された場合に、前記第一の機器情報又は前記第二の機器情報に対応するアイコンを、機器情報とアイコンとを対応付けて記憶した記憶手段から抽出する。前記第一の機器情報は、前記第一の機器情報取得機能により取得された報知情報に含まれる。前記判定は、前記第一の機器情報と前記第二の機器情報とが一致するか否かを判定する。アイコン表示機能は、抽出された前記アイコンを表示する。
【００１１】
また、本開示の電子機器の情報表示方法は、第一の機器情報取得ステップと、第二の機器情報取得ステップと、抽出ステップと、アイコン表示ステップとを含む。第一の機器情報取得ステップは、接続対象の機器が報知する、前記機器の第一の機器情報を含む報知情報を取得する。第二の機器情報取得ステップは、前記機器から第二の機器情報を取得する。抽出ステップは、前記第一の機器情報と、前記第二の機器情報との判定により一致すると判定された場合に、前記第一の機器情報又は前記第二の機器情報に対応するアイコンを、機器情報とアイコンとを対応付けて記憶した記憶手段から抽出する。前記第一の機器情報は、前記第一の機器情報取得機能により取得された報知情報に含まれる。前記判定は、前記第一の機器情報と前記第二の機器情報とが一致するか否かを判定する。アイコン表示ステップは、抽出された前記アイコンを表示する。
【発明の効果】
【００１２】
本開示の電子機器、その情報表示プログラム、又はその情報表示方法によれば、次のいずれかの効果が得られる。
【００１３】
(1) 電子機器が取得した機器情報を利用して、接続したい機器が特定できるので、機器選択の容易化、誤接続の防止を図ることができる。
【００１４】
(2) 機器に関連させたアイコンを登録し、そのアイコンを機器の接続処理において表示させることで、接続の迅速化等、機器接続の利便性を高めることができる。
【００１５】
そして、本発明の他の目的、特徴及び利点は、添付図面及び各実施の形態を参照することにより、一層明確になるであろう。
【図面の簡単な説明】
【００１６】
【図１】第１の実施の形態に係る電子機器の構成例を示す図である。
【図２】電子機器の情報表示処理の一例を示すフローチャートである。
【図３】第２の実施の形態に係る機器情報登録及び情報表示の一例を示す図である。
【図４】携帯電話機の機能構成例を示すブロック図である。
【図５】携帯電話機の外観構成例を示す図である。
【図６】携帯電話機及び機器のハードウェア構成例を示す図である。
【図７】ペアリング完了画像テーブルの一例を示す図である。
【図８】機器情報及びアイコン登録処理の一例を示すシーケンス図である。
【図９】機器の起動処理の一例を示すフローチャートである。
【図１０】第３の実施の形態に係る待ち受け画面にアイコン画像を表示した状態の一例を示す図である。
【図１１】アイコン画像表示及び機器接続処理の一例を示すシーケンス図である。
【図１２】第４の実施の形態に係るアイコン画像を表示した状態の一例を示す図である。
【図１３】アイコン画像表示処理の一例を示すシーケンス図である。
【図１４】第５の実施の形態に係る機器情報登録の一例を示す図である。
【図１５】カメラによる画像情報及び機器情報の取り込み状態の一例を示す図である。
【図１６】携帯電話機及び機器の機能部の構成例を示す図である。
【図１７】機器情報及びアイコン画像登録処理の一例を示すシーケンス図である。
【図１８】機器情報登録機能の実施例を示す図である、
【図１９】機器情報及び画像情報の登録処理の実施例を示すシーケンス図である。
【図２０】比較例に係る近距離無線通信による機器との接続状態を示す図である。
【図２１】比較例である人体通信器機能の概要を示す図である。
【図２２】他の実施の形態に係るＰＣを示す図である。
【図２３】他の実施の形態に係るＰＤＡを示す図である。
【発明を実施するための形態】
【００１７】
〔第１の実施の形態〕
【００１８】
第１の実施の形態について、図１を参照する。図１は、第１の実施の形態に係る電子機器の構成例を示す図である。図１に示す構成は一例であって、これに限定されない。
【００１９】
この電子機器２は、本開示の電子機器の一例であって、無線通信により接続可能な機器４Ａ〜４Ｎに対し、特定の機器の機器情報等を登録して選択可能にするとともに、機器４Ａ〜４Ｎを特定するアイコン画像の生成機能や登録機能又はそのアイコン表示機能を備える。この電子機器２は、図１に示すように、近距離無線通信による通信可能な範囲６内にある単数又は複数の機器４Ａ、４Ｂ・・・４Ｎから機器情報８Ａ、８Ｂ・・・８Ｎを取得して接続対象となる機器を認識しており、利用者の選択指示によって接続対象を特定する。機器４Ａ〜４Ｎは、電子機器２との間で無線通信により接続可能な外部周辺機器であって、例えば、電子機器２に対する操作手段であるキーボードや、データを記憶させる外部記憶装置、その他、表示や音声出力等を行う表示装置やヘッドフォン等である。
【００２０】
そこで、特定の機器として例えば、機器４Ａについて機器情報等を登録するため、電子機器２は、機器４Ａを示す機器情報８Ａ、画像情報１０等を取得する。また、機器の特定処理として、例えば、機器４Ａから取得した機器照合情報１２を利用して、電子機器２が取得した複数の機器情報８Ａ、８Ｂ、・・・８Ｎのうち、機器４Ａの機器情報８Ａを抽出する。そして、これらの情報を利用して、電子機器２は、機器４Ａを示すアイコン画像を生成して表示する。
【００２１】
この電子機器２の機器情報の登録、アイコン画像生成、アイコン画像登録、アイコン画像表示の各機能について、これらの機能を実行する構成の一例は以下の通りである。
【００２２】
機器情報取得部１４は、接続対象の機器４Ａ、４Ｂ・・・４Ｎが報知する、該機器の第一の機器情報を含む報知情報を取得する第一の取得手段の一例である。この機器情報取得部１４は、近距離無線通信により接続可能な範囲６内にある機器４Ａ、４Ｂ・・・４Ｎの機器情報８Ａ、８Ｂ、・・・８Ｎを取得する。この近距離無線通信は、例えば、Bluetooth （登録商標）等の通信規格等に基づく通信方法や、赤外線通信等を利用すればよい。機器情報８Ａ、８Ｂ、・・・８Ｎは、機器４Ａ、４Ｂ・・・４Ｎ側から報知される報知情報であって、例えば、各機器４Ａ、４Ｂ・・・４Ｎを識別するための第一の機器情報であるＭＡＣアドレスや装置識別番号、装置構成を示す情報を含んでいる。この機器情報取得部１４は、接続可能な範囲６に報知された機器情報８Ａ、８Ｂ、・・・８Ｎを取り込んで機器４Ａ、４Ｂ・・・４Ｎを識別する。従って、この電子機器２は、例えば、通信可能な範囲６内にある機器４Ａ、４Ｂ・・・、４Ｎの個数分の機器情報８Ａ、８Ｂ・・・８Ｎを保持する。
【００２３】
機器照合情報取得部１６は、機器４Ａ、４Ｂ・・・、４Ｎから第二の機器情報を取得する、第一の取得手段（例えば、既述の機器情報取得部１４）とは異なる第二の取得手段の一例であって、機器から機器照合情報１２を取得する。機器照合情報１２は、例えば、無線通信又は有線通信等により、利用者が選択した機器４Ａ、４Ｂ・・・、４Ｎから取得する第二の機器情報の一例であって、ＭＡＣアドレスや機器識別情報等で構成されればよい。この機器照合情報１２の取得では、利用者が機器４Ａ、４Ｂ・・・、４Ｎを選択し、照合処理に利用する機器情報のみを取得するものであり、電子機器２と機器４Ａ、４Ｂ・・・、４Ｎとを接続する近距離無線通信以外の伝送手段を利用してもよい。
【００２４】
機器情報抽出部１８は、機器情報の判定手段であるとともに、その判定結果によりアイコンを抽出するアイコン抽出手段の一例である。機器情報の判定では、第一の取得手段により取得された報知情報に含まれる第一の機器情報と、第二の取得手段により取得された第二の機器情報とが一致するか否かを判定する。アイコンの抽出機能では、前記判定において一致すると判定された場合に、第一の機器情報又は第二の機器情報に対応するアイコンを記憶手段から抽出する。この機器情報抽出部１８では、機器情報取得部１４が取り込んだ機器情報８Ａ、８Ｂ、・・・８Ｎに対して、機器照合情報１２に含まれる機器情報と同一の機器情報８Ａ、８Ｂ、・・・８Ｎがあるか否かを照合する。即ち、機器４Ａ、４Ｂ・・・、４Ｎ側から報知され、取り込んだ機器情報８Ａ、８Ｂ、・・・８Ｎから、利用者が選択した例えば、機器４Ａから取り込んだ機器照合情報１２によって特定の機器情報８Ａを抽出する。そして、機器情報抽出部１８では、機器照合情報１２に基づいて、特定の機器４Ａの機器情報８Ａを抽出し、この機器情報８Ａに対応するアイコン（Icon）画像をアイコン記憶部２１から抽出する。
【００２５】
尚、この実施の形態では、機器照合情報１２に含まれる機器情報を利用して、一致する機器情報８Ａ、８Ｂ、・・・８Ｎの照合処理を行っているが、これに限られず、例えば、特定の機器４Ａ、４Ｂ・・・、４Ｎを示す他の識別情報を利用してもよい。
【００２６】
画像情報取得部２０は、特定した機器４Ａ、４Ｂ・・・、４Ｎの画像情報１０を取り込む手段の一例であって、例えば、電子機器２に備えられたカメラ等を利用すればよい。この画像情報取得部２０で取得した機器４Ａ、４Ｂ・・・、４Ｎの画像情報１０は、例えば、記憶手段であるアイコン記憶部２１等に送信し、機器情報等に対応して記憶される。
【００２７】
そして、アイコン記憶部２１は、機器情報８Ａ、８Ｂ、・・・８Ｎとアイコンとを対応付けて記憶した記憶手段の一例である。アイコンは、画像情報取得部２０で取得された例えば、画像情報１０を用いて生成させればよい。そして、機器４Ａ、４Ｂ・・・、４Ｎから取得された画像情報１０はアイコン画像に変換され、又は画像情報１０からアイコン画像を生成させる。このアイコン画像は、機器情報抽出部１８で一致すると判定された機器情報８Ａ、８Ｂ、・・・８Ｎと関連付けてアイコン記憶部２１に登録される。
【００２８】
また、機器照合情報取得部１６は画像情報取得部２０と一体に構成してもよく、例えば、取得した画像情報１０に機器照合情報１２を含ませるようにしてもよい。例えば、機器４Ａは、撮影された画像情報１０中に、機器照合情報１２として、機器情報８Ａを表す識別データ等を含む構成とすればよい。
【００２９】
アイコン表示制御部２２は、抽出手段（例えば、既述の機器情報抽出部１８）により抽出されたアイコンを表示する表示制御手段の一例である。このアイコン表示制御部２２では、特定した機器４Ａに対する接続処理の実行操作表示として、アイコン画像の表示出力を発生する。このアイコン表示制御部２２は、電子機器２の表示部に対してアイコン画像を選択可能に表示させる。
【００３０】
また、アイコン画像の登録では、機器情報抽出部１８による特定の機器情報８Ａを抽出した後に、この機器情報８Ａに基づいて、電子機器２と機器４Ａとの接続処理であるペアリング処理を実行し、そのペアリング情報も画像情報関連させて登録してもよい。これにより、アイコン画像が選択された場合、付加されている機器情報８Ａに基づいて、電子機器２と特定の機器４Ａとの接続処理を実行できる。
【００３１】
次に、電子機器２の情報表示処理について、図２を参照する。図２は、電子機器の情報表示処理の一例を示すフローチャートである。図２に示す処理内容、処理手順等は一例であって、これに限定されない。
【００３２】
この情報表示処理は、本開示の電子機器の情報表示プログラム又は情報表示方法の一例である。電子機器２は、利用者が特定した機器４Ａから機器照合情報１２を取得して、通信可能な機器４Ａの機器情報８Ａを特定し、その機器情報８Ａに対応付けて記憶されているアイコンを抽出し、表示部等にアイコン画像の表示を行う。
【００３３】
そこで、図２に示すように、電子機器２は、通信可能な範囲６内にある機器４Ａ、４Ｂ・・・、４Ｎから各報知情報を取得する（ステップＳ１）。例えば、機器情報取得部１４は、所定の無線通信方式により、各機器４Ａ、４Ｂ・・・、４Ｎが報知した報知情報に含まれる第一の機器情報である機器情報８Ａ、８Ｂ、・・・８Ｎを受信する。電子機器２は、取得した機器情報８Ａ、８Ｂ、・・・８Ｎに対して、各機器４Ａ、４Ｂ・・・、４Ｎの識別情報やＭＡＣアドレス等と共に、例えば、取得した順序やその取得年月日情報等を含むテーブルを作成してもよい。
【００３４】
また、電子機器２は、利用者が選択した特定の機器として例えば、機器４Ａから、第二の機器情報として機器照合情報１２を取得する（ステップＳ２）。この処理では、例えば、機器照合情報取得部１６が、利用者による電子機器２に対する操作等により、特定の機器４Ａを選択して、機器照合情報１２を取得する。機器照合情報１２の取得動作は、例えば、電子機器２の撮影機能を利用し、利用者が特定の機器４Ａを撮影してもよく、又は利用者が機器４Ａに対して接触してもよい。これにより、取り込んだ機器４Ａの画像情報から機器照合情報１２を読み込み、又は接触により機器４Ａ側から機器照合情報１２を受信することができる。
【００３５】
そして、取得した第一の機器情報と第二の機器情報との対比判定を行う（ステップＳ３）。例えば、機器情報抽出部１８は、取得した機器情報８Ａと機器照合情報１２とが一致するか否かの判断を行う。この判定処理では、例えば、含まれているＭＡＣアドレス等が同一であるか否かにより行う。この判定処理により一致している場合、例えば、電子機器２は、利用者が選択した機器４Ａの機器情報８Ａを保持し、登録する。
【００３６】
対比判定により、第一の機器情報と第二の機器情報とが一致すると判定された場合、これらの機器情報の何れか、又は両方に対応して記憶したアイコンの抽出が行われる（ステップＳ４）。例えば、アイコン記憶部２１には、機器情報８Ａ又は機器照合情報１２等に対応させたアイコンが記憶されており、判定結果に応じて、対応するアイコンを抽出する。このアイコン記憶部２１は、例えば、上記の対比結果に応じて、画像情報取得部２０から対応する機器４Ａの画像を取り込み、アイコン画像を生成させてもよい。
【００３７】
そして、抽出したアイコンについて、表示部等に表示させる（ステップＳ５）。この処理では、例えば、アイコン記憶部２１から出力されたアイコン情報をアイコン表示制御部２２が受け取り、電子機器２のディスプレイや所定の表示部等にアイコンを表示させる。また、このアイコン表示とともに、アイコンに対応した機能の読み出し待機状態にする。即ち、電子機器２の利用者が表示されたアイコンに対応した操作ボタン等の操作に応じて、アイコンに対応して記憶されている機器情報を読み出し、係る機器４Ａとの接続（ペアリング）処理が可能な状態にさせる。
【００３８】
そして、電子機器２が特定の機器４Ａに対して接近し、通信可能な範囲６内に進入した場合、電子機器２は、登録した機器情報８Ａに基づいてアイコン画像を電子機器２の表示部等に表示する。これにより、利用者に対して、機器４Ａと接続可能な範囲にあることを示すとともに、利用者がこのアイコン画像に対して選択操作を行った場合には、登録された機器情報８Ａやペアリング情報を利用して、機器４Ａと接続する。
【００３９】
斯かる構成によれば、電子機器が取得した機器情報を利用して、接続したい機器を特定できるので、機器選択の容易化、誤接続の防止を図ることができる。また、機器に関連させたアイコンを登録し、そのアイコンを機器の接続処理において表示させることで、接続の迅速化等、機器接続の利便性を高めることができる。画像情報として表示可能なアイコン画像を登録し、このアイコン画像を選択操作に利用して接続処理ができるので、接続機器の選択や接続の迅速化を図ることができる。
【００４０】
〔第２の実施の形態〕
【００４１】
次に、第２の実施の形態について、図３及び図４を参照する。図３は、第２の実施の形態に係る機器情報登録及び情報表示の一例を示す図、図４は、携帯電話機の機能構成例を示すブロック図である。図３及び図４に示す構成は一例であって、これに限定されない。
【００４２】
この携帯電話機３０は、本開示の電子機器の一例であって、既述の電子機器２に対応しており、近距離無線通信として、例えば、Bluetooth （登録商標）により機器と接続し、その機能を利用する。この電子機器３０に対して通信可能な範囲には、図３に示すように、機器Ａ３２としてヘッドフォン、機器Ｂ３４としてキーボード等が存在しており、この実施の形態では、携帯電話機３０は、機器Ａ３２と接続する場合を示す。
【００４３】
そこで、携帯電話機３０による機器Ａ３２の特定、機器情報及び通信アイコン登録及びその情報表示は、以下に示す処理により実現する。
【００４４】
通信可能範囲内にあるヘッドフォン及びキーボード等は、接続対象として特定されるためにBluetooth 報知（ＢＴ報知）を行い、各機器の機器情報として、例えばＭＡＣアドレスやその他の情報を発信している。携帯電話機３０側では、ＢＴ報知を受信して、通信可能な各機器の報知情報を受信する。携帯電話機３０は、受信した報知情報について、例えば、記憶部等に機器Ａ３２の報知情報であるＭＡＣＡ−Ａ、装置１の機器情報を記憶し、また、機器Ｂ３４の報知情報であるＭＡＣＡ−Ｂ、装置２の機器情報を記憶する。この報知情報は、既述の第一の機器情報を含む報知情報の一例である。
【００４５】
受信した報知情報に対し、携帯電話機３０の利用者が接続を希望する機器を特定するため、ＢＴ報知によって取得した機器Ａ３２及び機器Ｂ３４の報知情報から接続する機器の機器情報の抽出を行う。そこで、この携帯電話機３０は、接続を希望する機器Ａ３２に対して、利用者３６を接触させる人体通信を行う。
【００４６】
人体通信は、携帯電話機３０の筐体部等の所定位置に接触する利用者３６が接続対象の機器Ａ３２の筐体又はその他所定の部分に接触することで、利用者の人体を伝送経路として機器照合情報を通信する手段の一例である。この人体通信では、例えば、機器Ａ３２側で接触した人体に誘起させた電界の変化等を利用して機器照合情報の伝達を行う。これにより、携帯電話機３０は、機器照合情報として、例えば、機器Ａ３２からＭＡＣＡ−Ａを取得する。この人体通信を行う構成は、既述の第二の取得手段であり、これにより取得した機器情報は、既述の第二の機器情報の一例である。
【００４７】
そして、ＢＴ報知により取得した複数の機器情報に対し、人体通信で取得した機器照合情報と一致する機器情報を抽出する。例えば、機器照合情報であるＭＡＣＡ−Ａと一致するＭＡＣアドレスとして、機器Ａ３２により報知されたＭＡＣＡ−Ａを抽出する。これにより、携帯電話機３０では、接続対象として機器Ａ３２が選択されたことを認定する。そして、例えば、この機器Ａ３２から報知された報知情報に含まれるＭＡＣＡ−Ａやその他の機器情報等を利用して、接続処理であるペアリング処理を実行し、そのペアリング情報等も合わせて登録してもよい。
【００４８】
また、アイコン画像３８の生成及び登録では、選択された機器Ａ３２の画像情報及びペアリング情報等を利用する。そして、携帯電話機３０の表示部等に生成したアイコン画像３８を表示し、このアイコン画像３８に対する選択操作が行われることで、登録されている機器情報やペアリング情報等を読出し、又は機器Ａ３２への接続指示が実行される。
【００４９】
この機器情報登録及び情報表示機能を実現するため、携帯電話機３０は、例えば、図４に示す構成を含めばよい。
【００５０】
Bluetooth 通信制御部４０は、Bluetooth 規格の近距離無線通信を制御する手段の一例であって、選択された機器Ａ３２に構成されたBluetooth 通信制御部４１との間でデータ等の通信を実行する手段であり、既述の機器情報取得部１４を構成する。
【００５１】
なお、機器Ａ３２との通信手段として、Bluetooth 以外の通信規格、又は通信手段を利用する場合には、その規格又は通信手段に合わせて通信制御機能部を構成すればよい。
【００５２】
人体通信制御部４２は、機器Ａ３２に利用者３６が接触したことを契機に人体通信を実行開始するとともに、機器Ａ３２側から人体を介して伝達された機器照合情報の受信制御を行う機器照合情報取得部１６の一例である。この人体通信制御部４２は、例えば、機器Ａ３２に接触した人体に電界の変化等を誘起させて通信を行う送信部又は受信部を構成する。
【００５３】
記憶制御部４４は、取得した機器情報又は機器照合情報、ペアリング情報、アイコン等を記憶部に記憶させる手段の一例であって、既述のアイコン記憶部２１に対応する。また、例えば、機器情報と機器照合情報とを照合処理し、例えば、ＭＡＣアドレス等が一致するか否かを判定するとともに、記憶部等に記憶されている機器情報やアイコン情報等を抽出する機器情報抽出部１８を構成する。更に、取得した機器情報に対して、利用者が選択した機器Ａ３２の画像情報を関連させたテーブル等を作成して、記憶する制御を実行する手段である。
【００５４】
カメラ制御部４６は、アイコン画像の生成等に利用する機器Ａ３２の画像情報１０を取得する画像情報取得部２０の一例であって、例えば、アイコン画像登録処理の開始を契機に携帯電話機３０に搭載されたカメラを起動させる。そして、撮影によって取得した画像情報１０を記憶部等に記憶させるとともに、通信アイコン登録部５０側に送信する。
【００５５】
キー入力制御部４８は、携帯電話機３０の操作部に対するキー入力を制御する手段の一例である。そして、アイコン登録処理では、機器照合情報と機器情報との照合結果の出力を契機に、例えば、ペアリング実行ボタンに対する操作を監視する。そして、このペアリング実行開始の操作入力がされた場合、機器Ａ３２の機器情報に基づいてペアリング処理を実行し、また、通信アイコン登録部５０等に対して、アイコン登録処理の開始指示を出力する。
【００５６】
通信アイコン登録部５０は、取得した画像情報及び特定した機器Ａ３２の機器情報等を利用して、機器Ａ３２を選択可能にするアイコン画像を生成する手段の一例であって、既述のアイコン記憶部２１を構成する。また、生成されたアイコン画像に対して、機器Ａ３２の機器情報やペアリング情報等を関連させて登録する手段であって、機器Ａ３２に対する接続操作を可能にする。
【００５７】
通信アイコン表示部５２は、表示部にアイコン画像を表示させる手段の一例であって、既述のアイコン表示制御部２２を構成する。そして、登録された機器Ａ３２がBluetooth による通信可能な範囲内にある場合、通信アイコン表示部５２は、その機器Ａ３２のアイコン画像を表示部等に表示させる。また、例えば、携帯電話機３０が機器Ａ３２と通信不可能な距離に移動した場合、表示部におけるアイコン画像の表示を中止する。
【００５８】
表示制御部５４は、携帯電話機３０の表示部に対する文字情報、アイコン画像、画像、映像等の表示を制御する手段の一例である。そして、例えば、機器情報の照合結果の表示、抽出した機器情報の表示、ペアリング処理結果の表示、アイコン登録実行の確認画像の表示、その他の実行確認表示等を表示する。
【００５９】
無線制御部５６は、携帯電話機３０の例えば、通話機能や電子メール機能等に利用する無線通信機能に関する制御手段の一例である。
【００６０】
また、機器Ａ３２は、携帯電話機３０との間でBluetooth による機器情報の通信を実行する手段として、例えば、Bluetooth 通信制御部４１を備えるとともに、人体通信による機器照合情報の送信手段として、人体通信制御部４３を備えればよい。
【００６１】
次に、携帯電話機の構成について、図５、図６及び図７を参照する。図５は、携帯電話機の外観構成例を示す図、図６は、携帯電話機及び機器のハードウェア構成例を示す図、図７は、ペアリング完了画像テーブルの一例を示す図である。図５〜図７に示す構成は一例であって、これに限定されない。
【００６２】
この携帯電話機３０は、図５に示すように、表示側筐体部６０と操作側筐体部６２とがヒンジ６４によって開閉可能に連結されている。表示側筐体部６０は、例えば、表示部６６、レシーバ７０と共に、背面側に向けて画像を撮影するカメラ６８等が備えられている。操作側筐体部６２には、キー入力部７２、マイクロフォン７４が備えられている。
【００６３】
また、携帯電話機３０及び機器Ａ３２の内部のハードウェア構成は、例えば、図６に示すように構成してもよい。
【００６４】
プロセッサ８０は、記憶部８２に記憶されているＯＳ（Operating System）や、その他の制御プログラム等を演算し実行するための演算手段の一例であって、携帯電話機３０の制御部を構成部品として機能する。このプロセッサ８０は、例えば、ＣＰＵ（Central Processing Unit ）で構成すればよい。そして、制御プログラムの演算実行により、機器情報の照合処理及び、選択した機器の機器情報の判定処理、抽出処理、登録処理やアイコン生成処理、又は表示部に対するアイコン画像の表示処理等の実行制御指示を出力する。
【００６５】
記憶部８２は、情報や制御プログラム等の記憶手段又は記録手段の一例であって、携帯電話機３０の動作等を制御するＯＳや、その他の制御プログラム等、取得した画像情報や機器情報等を記録している。記憶部８２は、例えば、プログラム記憶部８４、データ記憶部８６、ＲＡＭ（Random Access Memory）８８等で構成されている。
【００６６】
プログラム記憶部８４は、携帯電話機３０の動作制御を行うＯＳ８４２やその他の制御プログラム等を記憶する手段の一例であって、例えば、ＲＯＭ（Read Only Memory）で構成される。このプログラム記憶部８４は、例えば、アイコン画像生成プログラム８４４、ペアリング処理プログラム８４６、機器情報等の特定や登録、アイコンの表示制御を行うアイコン表示プログラム８４８等を記憶している。
【００６７】
データ記憶部８６は、取得した画像情報や機器情報、機器照合情報等を記録する手段、又は機器Ａ３２とのペアリング情報等を記憶する手段の一例であって、例えば、ＲＯＭやフラッシュメモリ等で構成されている。そして、このデータ記憶部８６は、例えば、図７に示すように、特定された１又は複数の機器に関するペアリング完了画像テーブル９０（９０２、９０４、・・・９０Ｘ）が登録されている。このペアリング完了画像テーブル９０は、例えば、アイコン画像を生成し、ペアリング処理が行われた機器毎に作成されており、機器の識別情報９２、画像情報９４、ペアリング情報９６等を関連させて記憶している。ここで、識別情報９２は、例えば、ＭＡＣアドレス等を含んでおり、ペアリング情報９６として、例えば、利用者の識別情報であるＰＩＮコード(Personal Identification Number)等を含んでいる。
【００６８】
なお、このプログラム記憶部８４やデータ記憶部８６は、例えば、電気的に内容を書き換えることができるＥＥＰＲＯＭ（Electrically Erasable and Programmable Read Only Memory ）等で構成されてもよい。
【００６９】
また、上記のアイコン画像生成プログラム８４４やペアリング処理プログラム８４６等は、プログラム記憶部８４やデータ記憶部８６等に記憶されたものに限られない。例えば、磁気ディスク、フレキシブルディスク、光ディスク光磁気ディスク等のコンピュータで読出し可能な記録媒体に記憶されているものを利用してもよい。さらに、ネットワーク上にあるサーバやデータベース等からプログラム等を読み込んで利用してもよい。
【００７０】
ＲＡＭ８８は、上記の制御プログラム等を実行させるためのワークエリアを構成している。そして、プロセッサ８０により制御プログラムを実行することで、既述の機器情報抽出部１８、アイコン表示制御部２２、人体通信制御部４２、キー入力制御部４８、通信アイコン登録部５０等として機能する。また、例えば、カメラ６８やBluetooth 通信部１００に対する動作制御指示等を実行する。
【００７１】
Bluetooth 通信部１００は、Bluetooth 規格の通信を利用して機器Ａ３２側との間でデータ等の通信を行う手段の一例であって、既述のBluetooth 通信制御部４０により制御される。このBluetooth 通信部１００は、機器Ａ３２側から報知された機器情報を受信してペアリング処理に利用する。また、Bluetooth 通信部１００から機器Ａ３２側のBluetooth 通信部１２０を介して指示出力を行うことで、機器Ａ３２を機能させることができる。
【００７２】
人体通信部１０２は、携帯電話機３０と接触する利用者３６の人体を介して機器Ａ３２側の人体通信部１２２と接続する手段の一例であって、既述の人体通信制御部４２により制御される。そこで、この人体通信部１０２は、例えば、電界変化を読取る手段、その変化を信号処理する手段等を備え、人体通信を行うための送信機又は受信機を構成すればよい。この電界変化を読取る手段は、利用者の手等に接触して、通電可能な構成として、例えば、携帯電話機３０の筐体部を利用してもよく、図示しない特定の接触部を備えてもよい。
【００７３】
無線通信部１０４は、プロセッサ８０により制御され、通話通信網や通信ネットワーク網等に接続する通信手段の一例であって、アンテナ等を備え、例えば、既述の無線制御部５６で制御される。
【００７４】
尚、ペアリング処理を開始するペアリング実行ボタン１０６は、例えば、キー入力部７２に構成すればよい。また、表示部６６とキー入力部７２とを一体に構成したタッチパネル式の入力手段、表示手段を用いてもよく、ペアリング実行ボタン１０６を表示部６６に表示してもよい。そして、表示されたペアリング実行ボタン１０６を直接操作されたことを契機にペアリング処理を開始すればよい。
【００７５】
また、機器Ａ３２側において、プロセッサ１１０は、記憶部１１２に記憶されているＯＳや、動作制御プログラム等を演算するための手段の一例であって、接続前は、ＢＴ報知処理によりＭＡＣアドレス等である機器情報を含む情報を報知する。また、携帯電話機３０等との接続後は、携帯電話機３０側からの指示に従って、例えば音声等の入出力手段として機能する。
【００７６】
尚、この実施の形態では、機器Ａ３２が携帯電話機３０の音声入出力手段を構成するが、これに限られず、電子機器２の周辺機器として機能すればよい。
【００７７】
記憶部１１２は、機器Ａ３２の記憶手段又は記録手段の一例であって、例えばプログラム記憶部１１４、データ記憶部１１６、ＲＡＭ１１８等を備えている。プログラム記憶部１１４は、機器Ａ３２を動作させるためのＯＳプログラムやドライバプログラム等が記憶されており、携帯電話機３０側に対して接続するための機器情報等の報知を行う。また、データ記憶部１１６は、機器Ａ３２の報知情報として、ＭＡＣアドレス１１６２や機器情報１１６４等が格納されている。
【００７８】
ＲＡＭ１１８は、プログラム記憶部１１４に記憶されているプログラムを実行するためのワークエリアの一例である。
【００７９】
Bluetooth 通信部１２０は、携帯電話機３０側のBluetooth 通信部１００と接続して、データの送受信を行う手段の一例であって、例えば、既述のBluetooth 通信制御部４１で制御される。このBluetooth 通信部１２０は、通信可能な範囲内に向けて機器Ａ３２を特定するための機器情報等の報知処理を実行する。
【００８０】
人体通信部１２２は、携帯電話機３０との間で既述の人体通信によるデータの送受信を行う手段の一例であって、例えば、既述の人体通信制御部４３で制御される。この人体通信部１２２は、機器Ａ３２の所定位置又は通電可能な外部筐体の全体で構成すればよく、接触した利用者の手等に対して、電界変化を生じさせる構成を備える。
【００８１】
スピーカ制御部１２４は、機器Ａ３２のスピーカ１２６を備えており、プロセッサ１１０から出力されたデータを音声に変換して再生する手段の一例である。また、マイク制御部１２８は、機器Ａ３２のマイクロフォン１３０を備えており、このマイクロフォン１３０から入力された音声信号を電気信号に変換してプロセッサ１１０側に送信する手段の一例である。
【００８２】
次に、携帯電話機のアイコン登録処理について、図８及び図９を参照する。図８は、機器情報及びアイコン登録処理の一例を示すシーケンス図、図９は、機器の起動処理の一例を示すフローチャートである。図８、図９に示す処理手順、処理内容等は一例であって、これに限定されない。
【００８３】
この機器情報及びアイコン登録処理は、Bluetooth 通信により取得した機器情報に対し、携帯電話機３０の利用者が選択した機器から人体通信により取得した機器照合情報を利用してその機器情報を抽出する。そして、抽出された機器情報を利用して、携帯電話機３０と選択した機器とのペアリング処理を行った後、その画像情報を利用して、アイコン画像を登録する。この図８に示す処理手順では、通信可能範囲内にある複数の機器に対し、例えば、機器Ａ３２が選択され、ペアリングする場合を示す。
【００８４】
携帯電話機３０は、例えば、通信アイコン登録機能を起動させ、通信可能範囲内にある接続可能な機器の検索処理を開始する（ステップＳ１０１）。例えば、Bluetooth 通信可能な範囲には機器Ａ３２、Ｂ３４がある。そして、携帯電話機３０は、各機器が報知する機器情報の受信処理に移行する。また、これらの機器Ａ３２、Ｂ３４に対して機器情報の送信要求を出力してもよい。機器Ｂ３４は、ＢＴ情報として、例えば、ＭＡＣアドレスＢや機器識別番号２等を報知する（ステップＳ１０２）。また、既述のように、選択される機器Ａ３２では、機器起動処理（ステップＳ１０３、図９）を実行し、ＢＴ情報として、ＭＡＣアドレスＡや機器識別番号１等を携帯電話機３０に報知する。そして、各機器が報知する機器情報を受信して（ステップＳ１０４）、記憶部８２等に記憶する。
【００８５】
機器情報を取得した場合、又はその取得中において、携帯電話機３０は、利用する機器の選択処理として、人体通信の監視処理を実行し（ステップＳ１０５）、機器照合情報を取得する。この監視処理では、利用者が選択した機器Ａ３２と携帯電話機３０とが手等で接触することにより、例えば、人体を介して通電したことや、又は特定の情報の送受信が行われるのを検出する。そして、人体通信により機器Ａ３２からデータを取得した場合（ステップＳ１０５のＹＥＳ）、機器照合情報であるＢＴ照合情報を抽出する（ステップＳ１０６）。このＢＴ照合情報は、例えば、選択した機器Ａ３２のＭＡＣアドレスＡが含まれている。人体通信の監視は、例えば、携帯電話機３０の表示部６６等に人体通信の開始させるための表示を行い、利用者の選択操作を契機に人体通信を開始可能な状態にしてもよい。
【００８６】
ＢＴ照合情報を抽出したら、機器側から取得した機器情報中に同一のＭＡＣアドレスを含む機器情報があるか否かを判断する（ステップＳ１０７）。同一のＭＡＣアドレスを含む場合（ステップＳ１０７のＹＥＳ）、その機器情報を抽出し、アイコン登録の実行確認の画像を表示する（ステップＳ１０８）。
【００８７】
また、同一のＭＡＣアドレスが無い場合（ステップＳ１０７のＮＯ）、人体通信の監視を継続する（ステップＳ１０５）。例えば、利用者が接触して人体通信を行った機器は、Bluetooth 通信機能を備えておらず、利用することができない場合や、既に他の電子機器との間でペアリングが行われており、携帯電話機３０と接続できない等の場合は、監視を継続する。
【００８８】
表示されたアイコン登録画像に対し、利用者が登録実行操作をすると（ステップＳ１０９のＹＥＳ）、携帯電話機３０と機器Ａ３２とのBluetooth 通信を行うためのペアリング処理に移行する。この登録実行操作は、例えば、表示部等に表示されたアイコン登録画像に対応したペアリング実行ボタン１０６の押下に応じて実行操作が行われたか否かを判断すればよい。
【００８９】
ペアリング処理では、利用者の識別情報を示すＰＩＮコードの入力が要求され（ステップＳ１１０）、ＰＩＮコードが入力されると（ステップＳ１１１のＹＥＳ）、機器Ａ３２に対してペアリング処理の要求を送信する（ステップＳ１１２）。ペアリング要求を受けた機器Ａ３２は、携帯電話機３０側に対して、例えば、認証処理に利用するために、ＰＩＮコードの要求を通知する（ステップＳ１１３）。ＰＩＮコード要求に応じて、携帯電話機３０が利用者が入力したＰＩＮコードを通知すると（ステップＳ１１４）、機器Ａ３２側で認証処理を行い、その照合結果を携帯電話機３０側に通知する（ステップＳ１１５）。照合が成功した場合、機器Ａ３２側のペアリング処理を終了する。
【００９０】
ＰＩＮコードの照合結果により、ペアリングが正常である場合（ステップＳ１１６のＹＥＳ）、携帯電話機３０のカメラ機能を起動させて機器Ａ３２の画像情報を取得する。そして、機器Ａ３２の利用状態等を示す通信アイコン登録情報として、この画像情報とともに、機器Ａ３２のＭＡＣアドレスやＰＩＮ番号、その他、機器識別情報等を関連させたペアリング完了画像テーブル９０を作成する（ステップＳ１１７）。
【００９１】
ペアリングが正常に行われなかった場合（ステップＳ１１６のＮＯ）は、再びＰＩＮコードの入力を要求し（ステップＳ１１８）、ペアリング処理を繰り返し行う。
【００９２】
次に、機器Ａ３２の起動処理（ステップＳ１０３）は、図９に示すように、電源がＯＮ状態となると（ステップＳ２０１のＯＮ）、機器情報等の報知処理（Ｆ１）として、ＢＴ通信を開始する（ステップＳ２０２）。ＢＴ通信は、Bluetooth 通信が可能な範囲に向けてＭＡＣアドレス等の機器情報を報知する（ステップＳ２０３）。
【００９３】
また、機器情報の報知処理とともに、機器Ａ３２は、人体通信機能を起動させ（ステップＳ２０４）、人体通信処理（Ｆ２）を開始する。そこで、利用者による接触等、人体通信の実行開始タイミング監視として、例えば、電界変化を監視する（ステップＳ２０５）。電界変化を検出すると、ＭＡＣアドレス等を含む機器照合情報を電界信号で送信する（ステップＳ２０６）。そして、再び電界変化を監視し（ステップＳ２０７）、例えば、携帯電話機３０側からの応答通信等により電界変化を検出した場合には、電界信号の送信を停止させ（ステップＳ２０８）、図８のステップＳ１０３に戻る。
【００９４】
斯かる構成によれば、電子機器が取得した機器情報を利用して、接続したい機器が特定できるので、機器選択の容易化、誤接続の防止を図ることができる。また、利用する機器の機器情報等を画像情報とともに登録し、その機器との接続時にその登録情報を読み出し、利用可能にして接続処理の迅速性や電子機器の利便性を高めることができる。更に、通信アイコン登録機能において、ペアリングしたい機器に接触することで機器照合情報を取得し、機器の特定を行ってアイコン画像を生成することができる。
【００９５】
〔第３の実施の形態〕
【００９６】
次に、第３の実施の形態について、図１０及び図１１を参照する。図１０は、第３の実施の形態に係る待ち受け画面にアイコン画像を表示した状態の一例を示す図、図１１は、アイコン画像表示及び機器接続処理の一例を示すシーケンス図である。図１０、図１１に示す構成及び処理手順、処理内容等はこれに限定するものではない。
【００９７】
この携帯電話機３０は、本開示の電子機器の一例であって、近距離無線通信範囲内にある接続可能な機器に対し、アイコン登録がされている機器について、アイコン表示を行う。そこで、通信可能範囲内に接続可能な機器が無い場合には、携帯電話機３０の表示部６６の待ち受け画面１４０には、機器を示すアイコン画像は表示されず、アイコン登録された機器がある場合には、そのアイコン画像３８を表示する。
【００９８】
このアイコン表示では、例えば、複数の機器Ａ３２、Ｂ３４が通信可能範囲に存在する場合を示している。これらの機器Ａ３２、Ｂ３４から取得した機器情報を照合し、図１０に示すように、データ記憶部８６のペアリング完了画像テーブル９０に登録された機器の画像情報９４を待ち受け画面１４０に表示する。
【００９９】
携帯電話機３０のアイコン画像表示処理及び機器Ａ３２との接続処理は、本開示の電子機器の情報表示プログラム、又は情報表示方法の一例であって、図１１に示すように、機器Ａ３２、Ｂ３４側から取得した機器情報を利用してアイコン表示、機器の接続を行う。
【０１００】
携帯電話機３０は、機器情報通知待ち状態に移行し（ステップＳ３０１）、機器Ａ３２、Ｂ３４から例えば、ＢＴ通知により機器情報が通知されるまで待機状態となる。機器Ａ３２及び機器Ｂ３４は、通信可能範囲内に機器情報を報知する（ステップＳ３０２、ステップＳ３０３）。この機器情報は、既述のアイコン登録処理に利用した機器情報と同様の情報を含めばよく、例えば、機器を表すＭＡＣアドレス、機器識別番号等を含めばよい。携帯電話機３０は、例えば、第一の取得手段であるBluetooth 通信部１００で機器情報を受信すればよい。
【０１０１】
報知された機器情報を受信すると（ステップＳ３０４）、この機器情報に含まれる例えば、ＭＡＣアドレスを元に、ペアリング完了画像テーブル９０を検索し（ステップＳ３０５）、同一のＭＡＣアドレスがペアリング登録されているか否かの照合を行う。そして、ペアリング登録済みの場合（ステップＳ３０６のＹＥＳ）、表示部６６の待ち受け画面１４０に登録済みの機器のアイコン画像３８を表示する（ステップＳ３０７）。登録済みの機器が複数ある場合、待ち受け画面１４０に全ての機器のアイコン画像３８を表示する。また、例えば、所定の数毎に切替え可能に表示したり、又は機器毎に表示する優先順位を設定してもよい。
【０１０２】
表示されたアイコン画像３８に対して、利用者が選択操作を行った場合（ステップＳ３０８のＹＥＳ）、選択されたアイコン画像３８に対応する機器との接続処理を行う。そこで、例えば、ペアリング完了画像テーブル９０を参照し、選択された機器のＭＡＣアドレスを読出してBluetooth 通信の開始要求を送信する（ステップＳ３０９）。この開始要求に対して、例えば、機器Ａ３２からBluetooth 通信開始応答が送信され（ステップＳ３１０）、接続処理を完了する。
【０１０３】
尚、この実施の形態では、既にペアリング処理が行われ、登録されている機器について、通信可能範囲内に入ったときにアイコン画像表示を行う場合を示している。しかし、例えば、取得した機器情報がペアリングされていない場合には、既述のアイコン登録処理又はペアリング処理に移行するようにしてもよい。
【０１０４】
斯かる構成によれば、利用する機器のアイコンを登録し、その機器との接続時にその登録情報を読み出し、利用可能にして接続処理の迅速性や電子機器の利便性を高めることができる。また、特定した機器に対し、その画像情報に機器情報を含めたアイコン画像を表示部に表示し、そのアイコン画像を利用者が選択操作により、その機器との接続を確立することができ、機器との接続処理を迅速化することができ、電子機器の利便性を高めることができる。
【０１０５】
〔第４の実施の形態〕
【０１０６】
次に、第４の実施の形態について、図１２、図１３を参照する。図１２は、第４の実施の形態に係るアイコン画像を表示した状態の一例を示す図、図１３は、アイコン画像表示処理の一例を示すシーケンス図である。図１２、図１３に示す構成、処理手順、処理内容等は一例であって、これに限定されない。
【０１０７】
この携帯電話機３０は、例えば、Bluetooth 等による通信可能な範囲内にある１又は複数の機器をサーチ（探索）し、ペアリング登録されている機器Ａ３２が含まれている場合には、そのアイコン画像３８を表示する。また、ペアリング登録されていない機器Ｂ３４に対しては、その機器Ｂ３４を特定可能な機器情報として、例えば、機器識別番号等を表示する。
【０１０８】
携帯電話機３０の表示部６６には、図１２に示すように、待ち受け画面１４２上に例えば、ＢＴ周辺サーチ処理を行う実行ボタン１４４を表示しており、利用者のキー入力部７２に対する操作に応じてサーチ処理を開始する。そして、ＢＴ周辺サーチ結果の表示画面１４６を表示部６６に表示する。この表示画面１４６には、ペアリング登録された機器Ａ３２のアイコン画像３８が表示される。また、ペアリング登録されていない機器Ｂ３４については、例えば、サーチ処理において取得した機器情報に含まれる機器識別情報１４８を表示する。
【０１０９】
尚、通信可能な範囲内にある機器Ａ３２、Ｂ３４から機器情報を取得するサーチ処理や、ペアリング登録済みの機器Ａ３２に関するアイコン画像３８をデータ記憶部８６から抽出する処理やその表示処理については、既述した処理と同様に行えばよい。
【０１１０】
そこで、このアイコン画像表示処理では、図１３に示すように、携帯電話機３０は、利用者による実行ボタン１４４の押下を契機にＢＴ周辺サーチを起動させる（ステップＳ３２１）。これにより、所定の通信可能範囲内にある機器Ａ３２、Ｂ３４が報知している機器情報の受信状態に移行し、又はその機器に対して機器情報の送信要求を発信する。これに対し、機器Ａ３２及び機器Ｂ３４は、例えば、ＭＡＣアドレスや機器識別番号等を通知する（ステップＳ３２２、ステップＳ３２３）。
【０１１１】
携帯電話機３０は、機器情報を受信すると（ステップＳ３２４）、全機器について機器情報等の表示処理がされたか否かを判断し（ステップＳ３２５）、全機器を表示するまで表示処理を行う。この表示処理は、例えば、ＭＡＣアドレスを利用し、ペアリング完了画像テーブル９０の検索処理を行う（ステップＳ３２６）。そして、ペアリング画像が登録されている場合（ステップＳ３２７のＹＥＳ）、その登録されたアイコン画像３８をＢＴ周辺サーチ結果の表示画面１４６に表示する（ステップＳ３２８）。また、登録されていない場合（ステップＳ３２７のＮＯ）、受信した機器識別情報１４８を表示する（ステップＳ３２９）。この機器識別情報１４８は、例えば英数字の組み合わせにより構成され、又は利用者が機器を特定可能な名称等で構成されればよい。
【０１１２】
全ての機器について表示処理が終了したら（ステップＳ３２５のＹＥＳ）、アイコン画像表示処理を終了する。
【０１１３】
尚、この実施の形態では、サーチ処理の実行タイミングを表示された実行ボタン１４４の押下を契機としたが、これに限られない。既述のように、携帯電話機３０の現在位置において通信可能な範囲の機器情報を自動で取得してもよい。そして、待ち受け画面１４０等に、登録済み機器Ａ３２のアイコン画像３８を表示し、又は通信可能な機器があることを示す他のアイコン画像を表示するようにしてもよい。
【０１１４】
〔第１、第２、第３及び第４の実施の形態の利点及び特徴事項〕
【０１１５】
(1) 携帯電話機３０は、通信アイコン登録機能を備えており、複数の周辺機器と近距離無線通信を行う場合、ペアリング対象の機器に手等を触れて、機器情報である例えば、ＢＴアドレスを取得する。そして、この機器情報を含んだアイコン画像を生成する。
【０１１６】
(2) この携帯電話機３０等の電子機器２は、周辺機器とのペアリングを行う場合、通信アイコン登録機能を起動して、周辺のＢＴ装置報知情報であるＢＴ−ＭＡＣアドレスや装置識別番号の受信を開始する。また、カメラを起動し、アイコン登録用の写真をモニタに表示する。さらに、通信アイコン登録機能は、人体通信によるＢＴ装置照合情報として、例えば、ＢＴ−ＭＡＣアドレスの受信を監視し、利用者がＢＴ装置及び携帯電話機を両手で触ったときに転送されるＢＴ装置照合情報を取得する。そして、ＢＴ装置照合情報のＭＡＣアドレスと同一のＭＡＣアドレスがＢＴ装置報知情報に含まれているかを検証する。ＢＴ装置照合情報のＭＡＣアドレスとＢＴ報知情報に含まれるＭＡＣアドレスが一致した場合、ＢＴ通信アイコン登録画面を表示する。ＢＴ報知情報を使ったＢＴペアリングを行い、ペアリングが成功した場合は画像撮影を行い、その画像ファイルに対してＢＴ報知情報であるＢＴ−ＭＡＣアドレス、装置識別番号を付加して記憶させる。
【０１１７】
(3) また、この電子機器２は、ＢＴ通信可能エリアに登録された機器がある場合、画面に登録した通信アイコンが表示され、この通信アイコンを選択することによって、ＢＴ通信を確立させることができる。
【０１１８】
〔第５の実施の形態〕
【０１１９】
次に、第５の実施の形態について、図１４、図１５及び図１６を参照する。図１４は、第５の実施の形態に係る機器情報登録の一例を示す図、図１５は、カメラによる画像情報及び機器情報の取り込み状態の一例を示す図、図１６は、携帯電話機及び機器の機能部の構成例を示す図である。図１４、図１５、図１６に示す構成は一例であって、これに限定されない。また、図１４〜図１６において、図３〜図６等と対応する構成については説明を省略する。
【０１２０】
この携帯電話機３０は、本開示の電子機器の一例であって、通信可能範囲内にある接続可能な１又は複数の機器に対し、ペアリング処理を行い、機器情報及びその画像情報を含む通信アイコンの登録を行う。この通信アイコン登録は、既述のように、機器側が通知した機器情報を第一の取得手段で取得するとともに、接続を行う特定の機器Ａ３２から第二の取得手段により機器照合情報１２として、例えばＭＡＣアドレス等を取得する。
【０１２１】
そこで、この携帯電話機３０は、カメラ６８を利用してアイコン登録用の画像情報１０及び機器照合情報１２を取得する。カメラ６８は、既述の画像情報取得部２０の一例であるとともに、第二の取得部の一例であって、例えば、カメラ６８によって取り込んだ機器の画像情報に含まれる文字情報や記号情報等を利用して機器照合情報１２を取得する。
【０１２２】
機器Ａ３２、Ｂ３４は、例えば、機器の筐体部等の一部に各機器の識別情報を含む識別表示部１６０を備えている。この識別表示部１６０は、第二の機器情報の一例であって、各機器毎のＭＡＣアドレスや機器識別情報が英数字等の文字情報やバーコードやＱＲコード（Quick Reponse ) 等の二次元コードで構成されている。そして、画像認識を行い、取り込んだ識別表示から機器照合情報１２を読み取り、登録された機器情報８の抽出処理を行う。
【０１２３】
機器照合情報１２を利用した抽出処理により、取得した機器情報８が登録されている場合には、携帯電話機３０に備えたペアリング実行ボタン１６２の押下を契機にペアリング処理を行う。そして、ペアリングが成功した場合には、通信アイコンとして、取得した画像情報１０に対して機器情報８を関連させて記憶する。
【０１２４】
携帯電話機３０は、図１５に示すように、カメラ６８により撮影した機器Ａ３２の画像１６４を表示部６６に表示させ、画像情報及び機器照合情報の取り込み処理を行う。表示部６６の中央部には、例えば、撮影対象を特定する特定枠１６６を設定してもよい。また、表示部６６には、キー入力部７２の決定キー１６８に対応した撮影カーソル１７０を表示してもよい。更に、表示部６６は、例えば、タッチパネルで構成してもよく、決定キー１６８の押下、又は、表示部６６上の撮影カーソル１７０に指を接触させることで撮影が実行できる。
【０１２５】
画像情報１０の取得として、例えば、利用者がこの特定枠１６６内に機器Ａ３２の画像１６４又は、機器の識別表示部１６０が入るようにカメラ６８を操作することで、機器照合情報１２を取得する。即ち、表示部６６又は特定枠１６６内にある画像は利用者が接続させるために特定した機器、又はその識別情報を示している。
【０１２６】
取り込んだ機器Ａ３２の画像情報１０は、図１６に示すように、例えば、カメラ制御部４６が管理し、通信アイコン登録部５０側に送信される。通信アイコン登録部５０は、画像認識処理を行い、画像に含まれる文字情報やバーコード等の解析を行って、ＭＡＣアドレス等の機器照合情報１２を抽出する。そして、抽出したＭＡＣアドレスと取得した機器情報に含まれるＭＡＣアドレスとを照合して一致した場合は、ペアリング実行ボタン１６２を含むＢＴ通信アイコン登録画面１６５（図１４）を表示する。
【０１２７】
次に、機器照合情報の抽出、ペアリング処理及びアイコン登録処理について、図１７を参照する。図１７は、機器情報及びアイコン画像登録処理の一例を示すシーケンス図である。図１７に示す処理内容、処理手順等は一例であって、これに限定されない。また、図１７において、図８に示す処理と同等の処理内容については説明を省略する。
【０１２８】
携帯電話機３０は、図１７に示すように、通信可能範囲内にある機器情報の取得処理を行う（ステップＳ４０１〜ステップＳ４０４）。この処理は、第一の取得手段による機器情報の取得処理の一例であって、既述のステップＳ１０１〜ステップＳ１０４と同様に行えばよい。
【０１２９】
次に、第二の取得手段による機器照合情報の取得処理として、表示部６６に表示されたモニタ画像、又はカメラ６８によって撮影された画像情報からＭＡＣアドレス等を抽出する（ステップＳ４０５）。この機器照合情報の抽出は、画像上にある文字や、コンピュータが読取り可能な二次元コード情報等を認識して行う。この場合、取得した画像情報から機器照合情報を示す文字等を認識できるか否かを判断する（ステップＳ４０６）。そして、抽出した機器照合情報に含まれるＭＡＣアドレスに対し、機器Ａ３２、Ｂ３４側から受信した機器情報に含まれるＭＡＣアドレスと同一の機器情報の抽出を行う（ステップＳ４０７）。携帯電話機３０は、取得した機器情報に同一のＭＡＣアドレスを含む場合（ステップＳ４０７のＹＥＳ）、その機器Ａ３２を接続対象として特定された機器であると認識する。
【０１３０】
そして、抽出した機器情報を持つ機器Ａ３２に対して、ペアリング登録するとともに、ペアリング情報や機器情報、画像情報等の登録処理を行う（ステップＳ４０８〜ステップＳ４１８）。これらの処理については、既述のステップＳ１０８〜ステップＳ１１８を利用すればよい。
【０１３１】
そして、このようにペアリングした機器情報や画像情報等を登録した携帯電話機３０は、登録した機器Ａ３２に対し、Bluetooth による近距離無線通信可能な範囲に接近すると、表示部６６に登録した画像情報を利用したアイコン画像３８を生成する。アイコン画像の生成処理については、既述の処理を利用すればよい。
【実施例】
【０１３２】
次に、実施例について、図１８、図１９を参照する。図１８は、機器情報登録機能の実施例を示す図、図１９は、機器情報及び画像情報の登録処理の実施例を示すシーケンス図である。
【０１３３】
この携帯電話機１８０は、本開示の電子機器の一例であって、近距離無線通信により接続可能な機器に対して、既述の機器情報の登録、アイコン登録機能を備えている。そして、図１８に示すように、例えば、携帯電話機１８０と通信可能な範囲内に車Ａ１８２、Ｂ１８４が存在している。この車Ａ１８２、Ｂ１８４は、Bluetooth 通信等の近距離無線通信により接続可能な機器として、車載装置Ｃ１８６、Ｄ１８８を備えている。この車載装置Ｃ１８６、Ｄ１８８は、例えば、カーナビゲーションシステム（Car Navigation System ）で構成されており、携帯電話機との間で無線通信によるデータの送受信を行う。車載装置Ｃ１８６には、Bluetooth 通信を行うための機器情報として、例えば、ＢＴアドレスＣが登録されており、車載装置Ｄ１８８には、ＢＴアドレスＤが登録されている。
【０１３４】
機器情報の登録では、第二の取得手段として、携帯電話機１８０のカメラ機能６８（図６）を起動させ、表示画面１９０に接続（ペアリング）を希望する車の画像１９２を表示させる。この携帯電話機１８０は、通信可能な範囲内にある機器から第一の取得手段として、例えば、Bluetooth 通信部等で取得した車載装置Ｃ１８６、Ｄ１８８の報知情報を基に、表示画面１９０上にBluetooth 通信可能な機器のＢＴアドレス情報１９４を表示する。
【０１３５】
ペアリングする車の機器情報を選択し、例えば、タッチパネルに対するタッチ選択をすると車の写真撮影が行われ、記憶部８２等に画像情報１９２を取り込む。更に、表示部６６には、ＰＩＮ番号入力画面１９６を表示する。そして、ペアリングする機器のＰＩＮ番号を入力することで、撮影した車の画像情報１９２の付加情報部分にＢＴアドレスやＰＩＮ番号等の機器情報が記録され、アイコン画像の登録となる。
【０１３６】
また、このアイコン画像を登録した後に、携帯電話機１８０がペアリング済の車載装置に対して、近距離無線通信が可能な範囲に接近した場合、表示画面１９０上には、登録されている１又は複数の車の画像情報１９２により生成されたアイコン画像を表示する。そして、表示されたアイコン画像に対し、利用者が接続を希望する車に対応したアイコン画像を選択操作することで、携帯電話機１８０と車載装置との接続処理を行い、通信可能になる。
【０１３７】
このような機器情報の登録処理やアイコン画像登録処理は、図１９に示すように、カメラ６８を起動し（ステップＳ５０１）、表示部６６に車の画像をモニタ画面に表示させる（ステップＳ５０２）。この処理フローチャートでは、例えば、車載装置Ｃ１８６を登録する場合を示す。そこで、車載装置の検索として、機器情報検索を行い（ステップＳ５０３）、車載装置Ｃ１８６から機器識別番号として、例えば、ＭＡＣアドレス等が通知される（ステップＳ５０４）。
【０１３８】
携帯電話機１８０の表示部６６には、受信した機器識別番号を表示し（ステップＳ５０５）、この識別番号表示からペアリングする機器が選択されると（ステップＳ５０６のＹＥＳ）、車の画像情報１９２が撮影され（ステップＳ５０７）、ペアリング処理に移行する。
【０１３９】
ペアリング処理として、携帯電話機１８０は、ＰＩＮ番号入力画面１９６（図１８）を表示し、ＰＩＮ番号が入力されると（ステップＳ５０９のＹＥＳ）、車載装置Ｃ１８６に対してペアリング通信を開始する（ステップＳ５１０）。車載装置Ｃ１８６は、携帯電話機１８０とのペアリングに対する検証として、例えば、入力されたＰＩＮ番号等の認証処理を行う（ステップＳ５１１）。この検証処理が完了したら、ペアリング完了通知を携帯電話機１８０側に通知する（ステップＳ５１２）。完了通知を受信した携帯電話機１８０は、ペアリング結果が正常であれば（ステップＳ５１２のＹＥＳ）、画像情報１９２の付加部に機器の識別番号やＰＩＮ番号等を付加して記憶部８２等に記憶させる（ステップＳ５１３）。
【０１４０】
〔比較例〕
【０１４１】
次に、比較例について図２０、図２１を参照する。図２０は、比較例に係る近距離無線通信による機器との接続状態を示す図、図２１は、比較例である人体通信機能の概要を示す図である。
【０１４２】
比較例に係る携帯電話機２００は、図２０に示すように、車２０２に搭載されたカーナビゲーション装置２０４に対して、近距離無線通信により接続し、データの送受信が行われている。Bluetooth （登録商標）による近距離無線接続を利用するための認証処理であるペアリング処理において、装置２０４外部に表示した二次元コード表示２０６を携帯電話機２００で読み取ることで、認証情報であるＰＩＮコードを取り込み、登録している。
【０１４３】
外部の機器に対して近距離無線通信により接続する携帯電話機２００において、ペアリング登録した機器が増えてくると、利用者の携帯電話機２００の周辺で検出される接続対象が増えることになる。これにより、例えば、特定の機器に対して接続処理を行おうとする場合、検出した登録情報は、表示画面上にＭＡＣアドレス等の一覧が表示されるだけで、その中からペアリング対象を選択するのが困難であった。
【０１４４】
上記のような装置２０４に限られず、例えば、携帯電話機２００やＰＣ等の電子機器に対して、近距離無線通信により接続する周辺機器を利用する場合も同様に、登録した機器が増えると接続対象の選択が困難になっている。例えば、周辺機器として、ヘッドセットとキーボードを利用する場合、１０〔ｍ〕範囲内に２０人座る職場等では、携帯電話機２００、ヘッドセット、キーボードがそれぞれ２０台ずつ検出されることになり、機器の選択が困難になる。
【０１４５】
このような特定の機器の選択を行うものとして、図２１に示すように、人体通信機能を備えるガイダンスシステム２１０がある。このガイダンスシステム２１０は、ヘルプスイッチ（ＳＷ）２１２と、特定の人体通信モジュール搭載ユニット２１４ａ、２１４ｂの人体通信部２１６ａ、２１６ｂとに利用者２１８が接触することで、機器情報の通信を行うものである。このような人体通信では、装置間において低速でのデータ通信しか行えず、且つ通信中は常に両方の機器に接触していなければならないという課題がある。
【０１４６】
これに対し、本開示の電子機器、その情報表示プログラム及びその情報表示方法によれば、複数の周辺機器と近距離無線通信を行う場合、通信可能な周辺機器を検出したときに、登録された機器情報に対応して記憶された通信アイコンが表示される。そして、例えば、携帯電話機の待ち受け画面に表示されたアイコン画像を選択するだけで、特定の機器と接続することが可能となる。
【０１４７】
〔他の実施の形態〕
【０１４８】
(1) 上記実施の形態では、第一の取得手段により取得した機器情報のみを利用して登録されたアイコン表示を行う場合を示したが、これに限られず、アイコン登録を行う場合と同様の処理を実行する構成としてもよい。即ち、アイコン画像や機器情報の登録処理では、例えば第２の実施の形態では、第一の取得手段としてBluetooth 通信部１００、第二の取得手段として人体通信部１０２を備え、Bluetooth 通信部１００で取得した機器情報と、人体通信部１０２で取得した機器照合情報との照合処理を行っている。そして、照合結果が一致した場合に登録処理を行っている。
【０１４９】
このような照合処理を、登録されたアイコン画像や機器情報の表示処理においても同様に行い、照合処理を行った後にアイコン画像を表示してもよい。具体的には、例えば、Bluetooth 通信部１００で取得した機器情報と、人体通信部１０２で取得した機器照合情報とを照合する。そして、照合結果が一致した場合には、記憶部８２から機器情報又は機器照合情報に対応付けて記憶したアイコンを抽出し、表示部６６等に表示させてもよい。
【０１５０】
また、同様に、第二の取得手段として、カメラ６８により画像情報を取得し、その画像情報に含まれる機器照合情報と照合処理を行った後に、登録されたアイコン画像の表示を行ってもよい。
【０１５１】
斯かる構成によれば、アイコン表示処理においても第一の機器情報と第二の機器情報との照合処理を行い、一致した場合にアイコン画像や機器情報の表示を行うことで、正確な情報表示を行うことができ、機器に対する誤接続等を防止することができる。
【０１５２】
(2) また、アイコン表示について、上記第３の実施の形態では、Bluetooth 通信部１００（第一の取得手段）を備え、このBluetooth 通信部１００で取得した機器情報を用いてアイコン表示をしているが、これに限定されない。第３の実施の形態においても、第一の取得手段としてBluetooth 通信部１００、第二の取得手段として人体通信部１０２を備え、Bluetooth 通信部１００で取得した機器情報と、人体通信部１０２で取得した機器情報とを照合してもよい。これらの機器情報が一致すれば、その機器情報に対応するアイコンを表示する構成としてもよい。
【０１５３】
(3) 上記実施の形態では、本開示の電子機器の一例として、携帯電話機３０、１８０を示したが、これに限られない。そこで、図２２に示すように、近距離無線通信としてBluetooth 通信による機器接続が可能なパーソナルコンピュータ（ＰＣ）３００に利用してもよい。また、図２３に示すように、携帯情報端末機（ＰＤＡ：Personal Digital Assistant）４００に利用してもよい。
【０１５４】
ＰＣ３００は、図２２に示すように、表示部３０２、操作部３０４、外部カメラ３０６等を備えればよく、また、人体通信機能を利用する場合は、接触部等を備えればよい。そして、既述のように、外部カメラ３０６で捉えた機器の画像情報や、利用者の接触等により取得した機器情報を利用して機器情報等の登録を行う。また、登録された機器に対して接続可能な状態になると、表示部３０２にそのアイコン画像を表示し、利用者の選択操作の容易化が図れる。
【０１５５】
また、ＰＤＡ４００は、図２３に示すように、表示部４０２、操作部４０４、外部カメラ４０６等を備えている。そして、既述のように、外部機器に対して近距離無線通信により接続可能であり、機器情報や画像情報等を登録するとともに、アイコン画像を生成して表示すればよい。
【０１５６】
(4) 上記実施の形態では、利用者が接続対象機器を選択し易くするために、アイコン画像を表示する例を示したが、表示されるものはアイコン画像に限られない。例えば、登録される機器に対して利用者が覚えやすい名称を記録しておき、画像に代えて当該名称を表示してもよい。その場合、表示されるアイコンは、画像ではなく、文字情報を表示すればよい。
【０１５７】
(5) 本開示の電子機器として、例えば、ゲーム機等を利用してもよい。
【０１５８】
(6) 電子機器２に登録した機器情報、画像情報を他の電子機器２側に対して、例えば、電子メールや近距離無線通信、赤外線通信により、転送可能にしてもよく、転送先の電子機器によって特定した機器との接続を可能にしてもよい。
【０１５９】
(7) 上記実施の形態では、機器照合情報を利用した機器情報の抽出処理において、ＭＡＣアドレスを利用しているがこれに限られない。例えば、識別情報等の機器を特定可能な情報であればよい。この場合、機器側から報知された機器情報と、機器照合情報とを関連付けて記憶すればよい。
【０１６０】
以上説明したように、電子機器、その情報表示プログラム及びその情報表示方法の好ましい実施の形態等について説明したが、本発明は、上記記載に限定されるものではなく、特許請求の範囲に記載され、又は発明を実施するための形態に開示された発明の要旨に基づき、当業者において様々な変形や変更が可能であることは勿論であり、斯かる変形や変更が、本発明の範囲に含まれることは言うまでもない。
【符号の説明】
【０１６１】
２  電子機器
４Ａ、４Ｂ、・・４Ｎ  機器
６  通信可能範囲
８、８Ａ、８Ｂ、・・８Ｎ  機器情報
１０  画像情報
１２  機器照合情報
１４  機器情報取得部
１６  機器照合情報取得部
１８  機器情報抽出部
２０  画像情報取得部
２１  アイコン記憶部
２２  アイコン表示制御部
３０、１８０  携帯電話機
３２、３４  機器
３６  利用者
３８  アイコン画像
４０、４１  Bluetooth 通信制御部
４２、４３  人体通信制御部
４４  記憶制御部
４６  カメラ制御部
５０  通信アイコン登録部
５２  通信アイコン表示部
５４  表示制御部
５６  無線制御部
８４  プログラム記憶部
８４２  ＯＳ
８４４  アイコン画像生成プログラム
８４６  ペアリング処理プログラム
８４８  アイコン表示プログラム
９０、９０２、９０４、・・・９０Ｘ  ペアリング完了画像テーブル
９２  識別情報
９４  画像情報
９６  ペアリング情報
１００、１２０  Bluetooth 通信部
１０２  人体通信部
１０４  無線通信部
１０６、１６２  ペアリング実行ボタン
１１６  データ記憶部
１１６２  ＭＡＣアドレス
１１６４  機器情報
１４０、１４２  待ち受け画面
１４６  表示画面
１４８  機器識別情報
【図１】
2012039282.tif 000003
【図２】
2012039282.tif 000004
【図３】
2012039282.tif 000005
【図４】
2012039282.tif 000006
【図５】
2012039282.tif 000007
【図６】
2012039282.tif 000008
【図７】
2012039282.tif 000009
【図８】
2012039282.tif 000010
【図９】
2012039282.tif 000011
【図１０】
2012039282.tif 000012
【図１１】
2012039282.tif 000013
【図１２】
2012039282.tif 000014
【図１３】
2012039282.tif 000015
【図１４】
2012039282.tif 000016
【図１５】
2012039282.tif 000017
【図１６】
2012039282.tif 000018
【図１７】
2012039282.tif 000019
【図１８】
2012039282.tif 000020
【図１９】
2012039282.tif 000021
【図２０】
2012039282.tif 000022
【図２１】
2012039282.tif 000023
【図２２】
2012039282.tif 000024
【図２３】
2012039282.tif 000025